(57)【要約】【課題】スピーカー性能要件を満たし得るようにする。【解決手段】インストルメントパネル１のスピーカー取付部分２１の上面に、スピーカー取付部分２１周辺に形成された音漏孔１２を閉塞可能な音漏防止部材２２を配設し、音漏防止部材２２の上面にスピーカー部品１３を配設して、スピーカー部品１３と音漏防止部材２２とをスピーカー取付部分２１に共締めするようにしている。【選択図】図１
2007331449.tif 000002
【特許請求の範囲】
【請求項１】
インストルメントパネルのスピーカー取付部分の上面に、該スピーカー取付部分周辺に形成された音漏孔を閉塞可能な音漏防止部材を配設し、音漏防止部材の上面にスピーカー部品を配設して、該スピーカー部品と音漏防止部材とをスピーカー取付部分に共締めしたことを特徴とするスピーカー取付構造。
【発明の詳細な説明】
【技術分野】
【０００１】
この発明は、スピーカー取付構造に関するものである。
【背景技術】
【０００２】
自動車などの車両には、車室内の前部にインストルメントパネルが設けられている。このインストルメントパネルに対し、カーナビゲーションシステムやオーディオ装置などのための出力用デバイスとして、スピーカーが取付けられることがある（例えば、特許文献１参照）。
図５は、左ハンドル車のインストルメントパネル１を示しており、このインストルメントパネル１の左側が運転席側部分２、右側が助手席側部分３、中央がセンターパネル部分４となっている。このセンターパネル部分４には、図６に示すように、所要形状の凹部６が形成され、この凹部６には、図７に示すように、意匠面を構成する化粧パネル５が取付けられるようになっている。
【０００３】
また、インストルメントパネル１における凹部６の内側部分には、図５に示すように、各種の機器を取付けるための機器取付用開口部７が上下に複数段に形成されている。この場合、凹部６の最上部に、スピーカー取付用の機器取付用開口部７が形成されている。また、凹部６には、図６に示すように、ネジ孔８や爪孔９や配線孔１０や作業孔１１などの音漏れの原因となる孔部（音漏孔１２）が各種形成されている。
そして、上記したスピーカー取付用の機器取付用開口部７に対して、スピーカー部品１３を上方から設置し、ネジで直接固定するようにする。同様に、各機器取付用開口部７に対して対応する各機器（例えば、カーナビゲーションシステムやオーディオ装置や空調装置用コントロールパネルや物入装置や計器装置など）を取付けるようにする。最後に、凹部６に化粧パネル５を被着してスピーカー部品１３や各種の機器を化粧パネル５で覆い隠すようにする。
ここで、スピーカー部品１３は、図６に示すように、ほぼ円錐形状をしたスピーカーコーン部の外周に、矩形状の取付フランジ部を取付けた構造のものが使用されている。矩形状の取付フランジ部の４つの各コーナー部には、インストルメントパネル１のネジ孔８やロケートピンなどと対応する孔部が形成されている。
【特許文献１】特開平７−３２９６４９号公報
【発明の開示】
【発明が解決しようとする課題】
【０００４】
しかしながら、上記スピーカー取付構造では、スピーカー部品１３をインストルメントパネル１に設けた機器取付用開口部７に直接固定するようにしていたが、インストルメントパネル１には様々な設計上の要求が課せられるため、スピーカー性能要件を充分に満たした設計とするのが困難であるという問題があった。
例えば、機器取付用開口部７の周辺にネジ孔８や爪孔９や配線孔１０や作業孔１１などの各種の音漏孔１２があると、スピーカー性能要件上不利となるが、これらの音漏孔１２をなくす構造とするのが困難であるため、これらの音漏孔１２からスピーカー部品１３を隔離するのに、図７に示すように、スポンジなどの仕切部材１５を化粧パネル５の裏面側に取付けたりせざるを得なくなり、その分、コストや手間がかかっていた。
【課題を解決するための手段】
【０００５】
上記課題を解決するために、請求項１に記載された発明では、インストルメントパネルのスピーカー取付部分の上面に、該スピーカー取付部分周辺に形成された音漏孔を閉塞可能な音漏防止部材を配設し、音漏防止部材の上面にスピーカー部品を配設して、該スピーカー部品と音漏防止部材とをスピーカー取付部分に共締めしたスピーカー取付構造を特徴としている。
【発明の効果】
【０００６】
請求項１の発明によれば、インストルメントパネルのスピーカー取付部分の上面に、該スピーカー取付部分周辺に形成された音漏孔を閉塞可能な音漏防止部材を配設し、音漏防止部材の上面にスピーカー部品を配設して、該スピーカー部品と音漏防止部材とをスピーカー取付部分に共締めしたことにより、インストルメントパネルがスピーカー性能要件を満たすように設計できない場合であっても、音漏防止部材で音漏孔を閉塞することにより容易にスピーカー性能要件を満たすことができ、且つ、インストルメントパネルの設計を容易化することができる。また、音漏防止部材をインストルメントパネルとスピーカー部品との間に介在させるだけでスピーカー性能要件を満たせるので、スポンジなどの仕切部材を取付ける手間やコストを減らすことができる。更に、スピーカー取付部分の上面に音漏防止部材とスピーカー部品とを順に積み重ねて共締めするだけで、簡単に組付けが完了するので、音漏防止部材に対する特別な取付手段などを不要化することができる。
【発明を実施するための最良の形態】
【０００７】
スピーカー性能要件を満たし得るようにするなどの目的を、インストルメントパネルのスピーカー取付部分の上面に、スピーカー取付部分周辺に形成された音漏孔を閉塞可能な音漏防止部材を配設し、音漏防止部材の上面にスピーカー部品を配設して、スピーカー部品と音漏防止部材とをスピーカー取付部分に共締めする、という手段で実現した。
【実施例】
【０００８】
以下、本発明を具体化した実施例について、図示例と共に説明する。
【０００９】
図１〜図４は、この発明の実施例を示すものである。なお、インストルメントパネルの構成などについては、図５、図６を用いて説明したものと基本的にほぼ同様なので、必要に応じてこれらの図面を参照すると共に、これらに対する記載を以てこの実施例の説明とすることができる。この際、同一ないし均等な部分については、同一の符号を付すようにしている。
まず、構成について説明する。図５は、左ハンドル車のインストルメントパネル１を示しており、このインストルメントパネル１の左側が運転席側部分２、右側が助手席側部分３、中央がセンターパネル部分４となっている。このセンターパネル部分４には、図６に示すように、所要形状の凹部６が形成され、この凹部６には、図４に示すような、意匠面を構成する化粧パネル５Ａが取付けられるようになっている。
また、インストルメントパネル１における凹部６の内側部分には、図５に示すように、各種の機器を取付けるための機器取付用開口部７が上下に複数段に形成されている。この場合、凹部６の最上部に、スピーカー取付用の機器取付用開口部７が形成されている。また、凹部６には、図６に示すように、ネジ孔８や爪孔９や配線孔１０や作業孔１１などの音漏れの原因となる孔部（音漏孔１２）が各種形成されている。
なお、インストルメントパネル１については、上述した従来のものと構造に変更はない。そして、以上のような基本構成に対し、この実施例のものでは、図１に示すように、インストルメントパネル１のスピーカー取付部分２１の上面に、スピーカー取付部分２１周辺に形成された音漏孔１２を閉塞可能な音漏防止部材２２を配設する。
この場合、スピーカー取付部分２１は、上記したように、凹部６における最上部の機器取付用開口部７およびその周辺部位となる。そのため、音漏防止部材２２は、このスピーカー取付部分２１を覆い得るように、スピーカー取付部分２１とほぼ等しい形状にする（図２参照）。この場合、音漏防止部材２２は、上辺部分がほぼ水平な直線形状を呈し、下辺部分が若干開いたほぼＵ字形状を呈する、御腕の側面形状のような形などとされている。
そして、図３に示すように、音漏防止部材２２の上面にスピーカー部品１３を配設して、スピーカー部品１３と音漏防止部材２２とをスピーカー取付部分２１に上方からネジで共締めする。ここでは、スピーカー部品１３には、ほぼ円錐形状をしたスピーカーコーン部１３ａの外周に、矩形状の取付フランジ部１３ｂを取付けた構造のものが使用されている。矩形状の取付フランジ部１３ｂの４つの各コーナー部には、取付けに使用される孔部がそれぞれ形成されている。
音漏防止部材２２には、図２に示すように、インストルメントパネル１のスピーカー取付部分２１におけるスピーカー取付用の機器取付用開口部７と対応し、スピーカーコーン部１３ａを収容可能な開口部２４が形成され、且つ、この開口部２４の周囲には、スピーカー部品１３の取付フランジ部１３ｂを収容可能な矩形状をしたスピーカー取付座２６が凹設形成されている。このスピーカー取付座２６における取付フランジ部１３ｂの４つの各コーナー部の孔部と対応する位置には、ネジ孔２７やロケートピン２８などが設けられている。このネジ孔２７は、インストルメントパネル１のネジ孔８（音漏孔１２）と合致するように形成する。
そして、音漏防止部材２２を、例えば、化粧パネル５Ａと一体に形成する。そのために、化粧パネル５Ａにおけるスピーカー取付部分２１と対応する部分を音漏防止部材２２とほぼ同じ形状に切欠いて、この切欠部分３１に上記音漏防止部材２２を連結する。この場合、化粧パネル５Ａの一般面と音漏防止部材２２とでは、要求される性能が異なるため、必要に応じて、肉厚などを違えるようにしても良い。特に図示しないが、例えば、音漏防止部材２２を、音漏防止特性が高くなるように、化粧パネル５Ａの一般面よりも厚肉としたり、二色成形などによって材質を異ならせたりすることができる。また、音漏防止部材２２は、表面に露出されないものであるため、化粧パネル５Ａの一般面と音漏防止部材２２との間に、音漏防止部材２２が一段低くなるような段差部３２を介在させるようにする。この段差部３２の段差量は、例えば、後述するグリル部品２５の厚みとほぼ等しいものなどとする。
更に、音漏防止部材２２の上部に、図４に示すように、スピーカー部品１３と音漏防止部材２２とを同時に覆い隠すと共に、化粧パネル５Ａおよびインストルメントパネル１とほぼ面一に配置されるグリル部品２５を取付ける。このグリル部品２５は、音漏防止部材２２に形成された爪孔３３に対して爪嵌合などによって取付けられるようなものとする。なお、この爪孔３３は、インストルメントパネル１の爪孔９とは異なる位置に設けるのが好ましい。次に、この実施例の作用について説明する。
【００１０】
インストルメントパネル１の凹部６における最上部の機器取付用開口部７以外の各機器取付用開口部に対し、対応する各機器（例えば、カーナビゲーションシステムやオーディオ装置や空調装置用コントロールパネルや物入装置や計器装置など）を取付ける。次に、凹部６に化粧パネル５Ａを被着して、上記各種の機器を化粧パネル５で覆い隠すようにする。
この状態では、最上部の機器取付用開口部７（スピーカー取付部分２１）の上部に化粧パネル５Ａと一体の音漏防止部材２２が配設される。そこで、この音漏防止部材２２の上面にスピーカー部品１３を配設して、スピーカー部品１３と音漏防止部材２２とをスピーカー取付部分２１に共締めする。最後に、音漏防止部材２２の上部にグリル部品２５を取付けて、スピーカー部品１３と音漏防止部材２２とを同時に覆い隠すようにする。
このように、この実施例によれば、インストルメントパネル１のスピーカー取付部分２１の上面に、スピーカー取付部分２１周辺に形成された音漏孔１２を閉塞可能な音漏防止部材２２を配設し、音漏防止部材２２の上面にスピーカー部品１３を配設して、スピーカー部品１３と音漏防止部材２２とをスピーカー取付部分２１に共締めしたことにより、インストルメントパネル１がスピーカー性能要件を満たすように設計できない場合であっても、音漏防止部材２２が音漏孔１２を閉塞することにより容易にスピーカー性能要件を満たすことができ、且つ、インストルメントパネル１の設計を容易化することができる。
また、音漏防止部材２２をインストルメントパネル１とスピーカー部品１３との間に介在させるだけでスピーカー性能要件を満たせるので、スポンジなどの仕切部材を取付ける手間やコストを減らすことができる。
更に、スピーカー取付部分２１の上面に音漏防止部材２２とスピーカー部品１３とを順に積み重ねて共締めするだけで、簡単に組付けが完了するので、音漏防止部材２２に対する特別な取付手段などを不要化することができる。また、上方からのアクセスで組付・分解ができるので、メンテナンスが容易である。
【００１１】
そして、音漏防止部材２２を、化粧パネル５Ａと一体に形成した場合には、別部品の音漏防止部材２２が不要となるので、その分、部品点数を減らすと共に取付けの手間を減らすことができる。
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。また、複数の実施例や変形例が示されている場合には、これらの可能な組合せが含まれることは勿論である。
【図面の簡単な説明】
【００１２】
【図１】本発明の実施例にかかるスピーカー取付構造を示す側方断面図である。
【図２】化粧パネルと一体の音漏防止部材が取付けられた図７と同様の部分拡大斜視図である。
【図３】音漏防止部材にスピーカー部品を配置した状態を示す図２と同様の斜視図である。
【図４】音漏防止部材およびスピーカー部品をグリル部品で覆った状態を示す図２と同様の斜視図である。
【図５】従来例および本願発明に共通のインストルメントパネルの斜視図である。
【図６】図５のセンターパネル部分の拡大斜視図である。
【図７】図６のセンターパネル部分に化粧パネルを取付けた状態を示す斜視図である。
【符号の説明】
【００１３】
１    インストルメントパネル
１２  音漏孔
１３  スピーカー部品
２１  スピーカー取付部分
２２  音漏防止部材
【図１】
2007331449.tif 000003
【図２】
2007331449.tif 000004
【図３】
2007331449.tif 000005
【図４】
2007331449.tif 000006
【図５】
2007331449.tif 000007
【図６】
2007331449.tif 000008
【図７】
2007331449.tif 000009